(57)【特許請求の範囲】
【請求項１】
透明導電膜からなる第１電極と、前記第１電極の厚み方向において前記第１電極から離間して配置され前記第１電極よりもシート抵抗が小さな第２電極とを備え、前記第１電極と前記第２電極との間に有機材料からなる発光層を有する有機エレクトロルミネッセンス素子であって、前記第１電極と前記発光層と前記第２電極とが重なる発光部の側方に配置され前記第１電極に電気的に接続された第１端子部と、前記発光部における前記第１端子部側とは反対側で前記発光部の側方に配置され前記第２電極に電気的に接続された第２端子部と、前記第１電極よりも比抵抗の小さな材料からなり前記発光部の側方で前記第１電極に積層されて前記第１端子部に電気的に接続された補助電極とを備え、前記補助電極は、前記発光部の周方向に沿って配置され、前記周方向において前記第１端子部から遠ざかるにつれてシート抵抗が大きくなるように厚さを変化させてあることを特徴とする有機エレクトロルミネッセンス素子。
【請求項２】
前記補助電極は、少なくとも２層の補助電極層の積層構造を有し、前記第１電極の厚み方向において前記第１電極から遠い前記補助電極層ほど前記第１端子部側の一端から前記第２端子部側の他端までの距離を短くすることで前記厚さを変化させてあることを特徴とする請求項１記載の有機エレクトロルミネッセンス素子。
【発明の詳細な説明】
【技術分野】
【０００１】
本発明は、有機エレクトロルミネッセンス素子（有機ＥＬ素子）に関するものである。
【背景技術】
【０００２】
有機エレクトロルミネッセンス素子を高輝度で点灯させるためには、より大きな電流を流す必要がある。しかしながら、有機ＥＬ素子は、一般的に、ＩＴＯ薄膜からなる陽極のシート抵抗が、金属膜、合金膜、金属化合物膜などからなる陰極のシート抵抗に比べて高いため、陽極での電位勾配が大きくなって、輝度の面内ばらつきが大きくなってしまう。
【０００３】
これに対して、従来から、図３に示すように、透明基板１００上に形成したＩＴＯ薄膜からなる陽極１０２と、陽極１０２上に形成した有機発光層１０３と、陽極１０２上で有機発光層１０３から一定の距離を隔てて有機発光層１０３の外側に形成された補助電極１０５と、有機発光層１０３上に形成した陰極１０４とを有する有機エレクトロルミネッセンス素子が提案されている（特許文献１）。この有機エレクトロルミネッセンス素子では、陽極１０２と陰極１０４との間に電圧を印加することによって有機発光層１０３で発光した光が、陽極１０２および透明基板１００を通して出射される。
【０００４】
特許文献１に開示された有機エレクトロルミネッセンス素子では、補助電極１０５を設けたことにより、陽極１０２での電圧降下や発熱を抑制することが可能となり、高効率化および高輝度化を図ることが可能となる旨が記載されている。
【先行技術文献】
【特許文献】
【０００５】
【特許文献１】特開２００３−４５６７４号公報
【発明の概要】
【発明が解決しようとする課題】
【０００６】
しかし、特許文献１に開示された有機エレクトロルミネッセンス素子では、補助電極１０５に起因して非発光部の面積が大きくなり、透明基板１００と陽極１０２と有機発光層１０３と陰極１０４とが重なる発光部の面積が小さくなってしまう。言い換えれば、特許文献１に開示された有機エレクトロルミネッセンス素子では、発光部以外の非発光部の面積が大きくなってしまう。また、上述の有機エレクトロルミネッセンス素子では、補助電極１０５の幅が一定なので、補助電極１０５の長手方向において陽極１０２の端子部（図３における陽極１０２の左端部）に近い部分で流れる電流が大きくなる（補助電極１０５を通る電流量は陽極１０２の端子部から離れるにつれて少なくなる）。このため、上述の有機エレクトロルミネッセンス素子では、補助電極１０５の単位長さ当たりでの電圧降下が、陽極１０２の端子部に近い部分ほど大きく、端子部から遠いほど小さくなり、輝度むらが生じる。
【０００７】
本発明は上記事由に鑑みて為されたものであり、その目的は、輝度むらの低減を図りながらも非発光部の面積を低減することが可能な有機エレクトロルミネッセンス素子を提供することにある。
【課題を解決するための手段】
【０００８】
本発明の有機エレクトロルミネッセンス素子は、透明導電膜からなる第１電極と、前記第１電極の厚み方向において前記第１電極から離間して配置され前記第１電極よりもシート抵抗が小さな第２電極とを備え、前記第１電極と前記第２電極との間に有機材料からなる発光層を有する有機エレクトロルミネッセンス素子であって、前記第１電極と前記発光層と前記第２電極とが重なる発光部の側方に配置され前記第１電極に電気的に接続された第１端子部と、前記発光部における前記第１端子部側とは反対側で前記発光部の側方に配置され前記第２電極に電気的に接続された第２端子部と、前記第１電極よりも比抵抗の小さな材料からなり前記発光部の側方で前記第１電極に積層されて前記第１端子部に電気的に接続された補助電極とを備え、前記補助電極は、前記発光部の周方向に沿って配置され、前記周方向において前記第１端子部から遠ざかるにつれてシート抵抗が大きくなるように厚さを変化させてあることを特徴とする。
【０００９】
この有機エレクトロルミネッセンス素子において、前記補助電極は、少なくとも２層の補助電極層の積層構造を有し、前記第１電極の厚み方向において前記第１電極から遠い前記補助電極層ほど前記第１端子部側の一端から前記第２端子部側の他端までの距離を短くすることで前記厚さを変化させてあることが好ましい。
【発明の効果】
【００１０】
本発明の有機エレクトロルミネッセンス素子においては、輝度むらの低減を図りながらも非発光部の面積を低減することが可能となる。
【図面の簡単な説明】
【００１１】
【図１】実施形態１の有機エレクトロルミネッセンス素子を示し、（ａ）は概略平面図、（ｂ）は（ａ）のＡ−Ａ’概略断面図、（ｃ）は（ａ）のＢ−Ｂ’概略断面図である。
【図２】実施形態２の有機エレクトロルミネッセンス素子を示し、（ａ）は概略平面図、（ｂ）は（ａ）のＡ−Ａ’概略断面図、（ｃ）は（ａ）のＢ−Ｂ’概略断面図である。
【図３】従来例の有機エレクトロルミネッセンス素子を示し、（ａ）は概略平面図、（ｂ）は（ａ）のＡ−Ａ’概略断面図である。
【発明を実施するための形態】
【００１２】
（実施形態１）
本実施形態の有機エレクトロルミネッセンス素子（以下、有機ＥＬ素子と略称する）について、図１に基づいて説明する。
【００１３】
本実施形態の有機ＥＬ素子は、透明導電膜からなる第１電極１２と、第１電極１２の厚み方向において第１電極１２から離間して配置され第１電極１２よりもシート抵抗が小さな第２電極１４とを備え、第１電極１２と第２電極１４との間に有機材料からなる発光層（図示せず）を有する有機ＥＬ層１３が設けられている。
【００１４】
また、有機ＥＬ素子は、第１電極１２と発光層と第２電極１４とが重なる発光部１１の側方に形成され第１電極１２に電気的に接続された第１端子部２２と、発光部１１における第１端子部２２側とは反対側で発光部１１の側方に形成され第２電極１４に電気的に接続された第２端子部２４とを備えている。また、有機ＥＬ素子は、第１電極１２よりも比抵抗の小さな材料からなり発光部１１の側方で第１電極１２に積層されて第１端子部２２に電気的に接続された補助電極１５を備えている。
【００１５】
また、有機ＥＬ素子は、第１電極１２を基板１０の一表面側に積層してあり、第１電極１２における基板１０側とは反対側で、第２電極１４が第１電極１２に対向している。基板１０としては、透光性基板を用いている。したがって、有機ＥＬ素子は、基板１０の他表面側から光を出射させることができる。なお、本実施形態の有機ＥＬ素子では、第２電極１４を発光層からの光を反射する電極により構成してある。また、本実施形態の有機ＥＬ素子は、基板１０の上記他表面のうち、第１電極１２、有機ＥＬ層１３、第２電極１４の３つが重複して投影される領域が発光面となる。
【００１６】
以下、有機ＥＬ素子の各構成要素について詳細に説明する。
【００１７】
基板１０は、平面視形状を矩形状としてある。ここで、基板１０は、矩形状に限らず、例えば、矩形状以外の多角形状、円形状などでもよい。
【００１８】
基板１０としては、ガラス基板を用いているが、これに限らず、例えば、プラスチック基板を用いてもよい。ガラス基板としては、例えば、無アルカリガラス基板、ソーダライムガラス基板などを用いることができる。また、プラスチック基板としては、例えば、ポリエチレンテレフタラート（ＰＥＴ）基板、ポリエチレンナフタレート（ＰＥＮ）基板、ポリエーテルサルフォン（ＰＥＳ）基板、ポリカーボネート（ＰＣ）基板などを用いてもよい。
【００１９】
基板１０としてガラス基板を用いる場合には、基板１０の上記一表面の凹凸が有機ＥＬ素子のリーク電流などの発生原因となることがある（有機ＥＬ素子の劣化原因となることがある）。このため、基板１０としてガラス基板を用いる場合には、上記一表面の表面粗さが小さくなるように高精度に研磨された素子形成用のガラス基板を用意する必要がある。基板１０の上記一表面の表面粗さについては、ＪＩＳ  Ｂ  ０６０１−２００１（ＩＳＯ  ４２８７−１９９７）で規定されている算術平均粗さＲａを、数ｎｍ以下にすることが好ましい。これに対して、基板１０としてプラスチック基板を用いる場合には、特に高精度な研磨を行わなくても、上記一表面の算術平均粗さＲａが数ｎｍ以下のものを低コストで得ることができる。
【００２０】
有機ＥＬ素子は、第１電極１２が陽極、第２電極１４が陰極を構成している。そして、有機ＥＬ素子は、第１電極１２と第２電極１４との間に介在する有機ＥＬ層１３が、第１電極１２側から順に、ホール輸送層、上述の発光層、電子輸送層、電子注入層を備えている。
【００２１】
有機ＥＬ素子は、基板１０の厚み方向において当該基板１０と第１電極１２と上述の発光層と第２電極１４とが重なる領域が、発光部１１を構成しており、発光部１１以外の領域が、非発光部となる。
【００２２】
上述の有機ＥＬ層１３の積層構造は、上述の例に限らず、例えば、発光層の単層構造や、ホール輸送層と発光層と電子輸送層との積層構造や、ホール輸送層と発光層との積層構造や、発光層と電子輸送層との積層構造などでもよい。また、第１電極１２とホール輸送層との間にホール注入層を介在させてもよい。また、発光層は、単層構造でも多層構造でもよい。例えば、所望の発光色が白色の場合には、発光層中に赤色、緑色、青色の３種類のドーパント色素をドーピングするようにしてもよいし、青色正孔輸送性発光層と緑色電子輸送性発光層と赤色電子輸送性発光層との積層構造を採用してもよいし、青色電子輸送性発光層と緑色電子輸送性発光層と赤色電子輸送性発光層との積層構造を採用してもよい。また、第１電極１２と第２電極１４とで挟んで電圧を印加すれば発光する機能を有する有機ＥＬ層１３を１つの発光ユニットとして、複数の発光ユニットを光透過性および導電性を有する中間層を介して積層して電気的に直列接続したマルチユニット構造（つまり、１つの第１電極１２と１つの第２電極１４との間に、厚み方向に重なる複数の発光ユニットを備えた構造）を採用してもよい。
【００２３】
陽極を構成する第１電極１２は、発光層中にホールを注入するための電極であり、仕事関数の大きい金属、合金、電気伝導性化合物、あるいはこれらの混合物からなる電極材料を用いることが好ましく、ＨＯＭＯ（Highest Occupied Molecular Orbital）準位との差が大きくなりすぎないように仕事関数が４ｅＶ以上６ｅＶ以下のものを用いるのが好ましい。第１電極１２の電極材料としては、例えば、ＩＴＯ（Indium Tin Oxide）、酸化錫、酸化亜鉛、ＩＺＯ（Indium ZincOxide）、ヨウ化銅など、ＰＥＤＯＴ、ポリアニリンなどの導電性高分子および任意のアクセプタなどでドープした導電性高分子、カーボンナノチューブなどの導電性光透過性材料を挙げることができる。ここにおいて、第１電極１２は、基板１０の上記一表面側に、例えば、スパッタ法、真空蒸着法、塗布法などによって薄膜として形成すればよい。
【００２４】
なお、第１電極１２のシート抵抗は数百Ω／□以下とすることが好ましく、特に好ましくは１００Ω／□以下がよい。ここで、第１電極１２の膜厚は、第１電極１２の光透過率、シート抵抗などにより異なるが、５００ｎｍ以下、好ましくは１０ｎｍ〜２００ｎｍの範囲で設定するのがよい。
【００２５】
また、陰極を構成する第２電極１４は、発光層中に電子を注入するための電極であり、仕事関数の小さい金属、合金、電気伝導性化合物およびこれらの混合物からなる電極材料を用いることが好ましく、ＬＵＭＯ(Lowest Unoccupied Molecular Orbital)準位との差が大きくなりすぎないように仕事関数が１．９ｅＶ以上５ｅＶ以下のものを用いるのが好ましい。第２電極１４の電極材料としては、例えば、アルミニウム、銀、マグネシウム、金、銅、クロム、モリブデン、パラジウム、錫など、およびこれらと他の金属との合金、例えばマグネシウム−銀混合物、マグネシウム−インジウム混合物、アルミニウム−リチウム合金を例として挙げることができる。また、金属、金属酸化物など、およびこれらと他の金属との混合物、例えば、酸化アルミニウムからなる極薄膜（ここでは、トンネル注入により電子を流すことが可能な１ｎｍ以下の薄膜）とアルミニウムからなる薄膜との積層膜なども使用可能である。
【００２６】
発光層の材料としては、有機ＥＬ素子用の材料として知られる任意の材料が使用可能である。例えばアントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチリルベンゼン誘導体、ジスチリルアリーレン誘導体、ジスチリルアミン誘導体および各種蛍光色素など、上述の材料系およびその誘導体を始めとするものが挙げられるが、これらに限定するものではない。また、これらの化合物のうちから選択される発光材料を適宜混合して用いることも好ましい。また、上記化合物に代表される蛍光発光を生じる化合物のみならず、スピン多重項からの発光を示す材料系、例えば燐光発光を生じる燐光発光材料、およびそれらからなる部位を分子内の一部に有する化合物も好適に用いることができる。また、これらの材料からなる発光層は、蒸着法、転写法などの乾式プロセスによって成膜しても良いし、スピンコート法、スプレーコート法、ダイコート法、グラビア印刷法など、湿式プロセスによって成膜するものであってもよい。
【００２７】
上述のホール注入層に用いられる材料は、ホール注入性の有機材料、金属酸化物、いわゆるアクセプタ系の有機材料あるいは無機材料、ｐ−ドープ層などを用いて形成することができる。ホール注入性の有機材料とは、ホール輸送性を有し、また仕事関数が５．０〜６．０ｅＶ程度であり、第１電極１２との強固な密着性を示す材料などがその例であり、例えば、ＣｕＰｃ、スターバーストアミンなどがその例である。また、ホール注入性の金属酸化物とは、例えば、モリブデン、レニウム、タングステン、バナジウム、亜鉛、インジウム、スズ、ガリウム、チタン、アルミニウムのいずれかを含有する金属酸化物である。また、１種の金属のみの酸化物ではなく、例えばインジウムとスズ、インジウムと亜鉛、アルミニウムとガリウム、ガリウムと亜鉛、チタンとニオブなど、上記のいずれかの金属を含有する複数の金属の酸化物であっても良い。また、これらの材料からなるホール注入層は、蒸着法、転写法などの乾式プロセスによって成膜しても良いし、スピンコート法、スプレーコート法、ダイコート法、グラビア印刷法などの湿式プロセスによって成膜するものであってもよい。
【００２８】
また、ホール輸送層に用いる材料は、例えば、ホール輸送性を有する化合物の群から選定することができる。この種の化合物としては、例えば、４，４’−ビス［Ｎ−（ナフチル）−Ｎ−フェニル−アミノ］ビフェニル（α−ＮＰＤ）、Ｎ，Ｎ’−ビス（３−メチルフェニル）−（１，１’−ビフェニル）−４，４’−ジアミン（ＴＰＤ）、２−ＴＮＡＴＡ、４，４’，４”−トリス（Ｎ−（３−メチルフェニル）Ｎ−フェニルアミノ）トリフェニルアミン（ＭＴＤＡＴＡ）、４，４’−Ｎ，Ｎ’−ジカルバゾールビフェニル（ＣＢＰ）、スピロ−ＮＰＤ、スピロ−ＴＰＤ、スピロ−ＴＡＤ、ＴＮＢなどを代表例とする、アリールアミン系化合物、カルバゾール基を含むアミン化合物、フルオレン誘導体を含むアミン化合物などを挙げることができるが、一般に知られる任意のホール輸送材料を用いることが可能である。
【００２９】
また、電子輸送層に用いる材料は、電子輸送性を有する化合物の群から選定することができる。この種の化合物としては、Ａｌｑ３等の電子輸送性材料として知られる金属錯体や、フェナントロリン誘導体、ピリジン誘導体、テトラジン誘導体、オキサジアゾール誘導体などのヘテロ環を有する化合物などが挙げられるが、この限りではなく、一般に知られる任意の電子輸送材料を用いることが可能である。
【００３０】
また、電子注入層の材料は、例えば、フッ化リチウムやフッ化マグネシウムなどの金属フッ化物、塩化ナトリウム、塩化マグネシウムなどに代表される金属塩化物などの金属ハロゲン化物や、アルミニウム、コバルト、ジルコニウム、チタン、バナジウム、ニオブ、クロム、タンタル、タングステン、マンガン、モリブデン、ルテニウム、鉄、ニッケル、銅、ガリウム、亜鉛、シリコンなどの各種金属の酸化物、窒化物、炭化物、酸化窒化物など、例えば酸化アルミニウム、酸化マグネシウム、酸化鉄、窒化アルミニウム、窒化シリコン、炭化シリコン、酸窒化シリコン、窒化ホウ素などの絶縁物となるものや、ＳｉＯ２やＳｉＯなどをはじめとする珪素化合物、炭素化合物などから任意に選択して用いることができる。これらの材料は、真空蒸着法やスパッタ法などにより形成することで薄膜状に形成することができる。
【００３１】
第１端子部２２の材料としては、第１電極１２よりも比抵抗の小さな材料が好ましく、例えば、金、銀、銅、クロム、モリブデン、アルミニウム、パラジウム、スズ、鉛、マグネシウムなどの金属や、これら金属の少なくとも１種を含む合金などが好ましい。また、第１端子部２２は、単層構造に限らず、多層構造を採用してもよい。
【００３２】
第２端子部２４の材料としては、第２電極１４と同じ材料を採用している。本実施形態では、第２電極１４のうち基板１０上まで延設された延設部を第２端子部２４としているが、これに限らず、当該延設部上に、第２端子部２４を形成してもよい。この場合、第２端子部２４の材料としては、第１端子部２２と同様の材料を採用することができる。
【００３３】
補助電極１５の材料としては、第１電極１２に比べて、比抵抗のより小さい材料が好ましい。補助電極１５の材料としては、例えば、金、銀、銅、クロム、モリブデン、アルミニウム、パラジウム、スズ、鉛、マグネシウムなどの金属や、これら金属の少なくとも１種を含む合金などを採用すればよい。また、補助電極１５は、単層構造に限らず、多層構造を採用してもよい。なお、補助電極１５の材料と第１端子部２２の材料とを同じ材料とすれば、補助電極１５と第１端子部２２とを同時に形成することが可能となり、低コスト化を図れる。
【００３４】
ところで、本実施形態の有機ＥＬ素子では、第１電極１２の平面形状が矩形状であり、発光部１１の周方向が第１電極１２の周方向に並行している。ここにおいて、補助電極１５は、発光部１１の周方向に沿って配置されている。具体的には、第１端子部２２が、矩形状の第１電極１２の周部において、第１電極１２の１辺に沿って配置され、補助電極１５が、第１電極１２の周部において、第１電極１２の上記１辺に隣り合う２辺それぞれに沿って１つずつ配置されている。なお、第１端子部２２と各補助電極１５とを連続した形状としてもよい。
【００３５】
補助電極１５は、幅寸法を一定としてあり、発光部１１の周方向において第１端子部２２から遠ざかるにつれてシート抵抗が大きくなるように厚さを変化させてある。なお、図１に示した例では、補助電極１５の厚さを１段のステップ状に変化させている。ただし、補助電極１５の厚さの変化のさせ方は、これに限らず、複数段のステップ状に変化させてもよいし、線形に変化させてもよい。補助電極１５は、例えば、スパッタ法や、めっき法や、蒸着法などにより形成すればよい。
【００３６】
以上説明した本実施形態の有機ＥＬ素子では、補助電極１５について、幅寸法を一定としてあり、発光部１１の周方向において第１端子部２２から遠ざかるにつれてシート抵抗が大きくなるように厚さを変化させてあるので、補助電極１５の厚さが一定である場合に比べて、補助電極１５において第１端子部２２に近い側での単位長さ（例えば、１ｃｍ）当たりの電圧降下を小さくする一方で第１端子部２２から遠い側での単位長さ当たりの電圧降下を大きくすることが可能となる。これにより、本実施形態の有機ＥＬ素子では、補助電極１５の幅寸法の縮小化を図りながらも輝度むらを低減することが可能となる。言い換えれば、本実施形態の有機ＥＬ素子では、輝度むらの低減を図りながらも非発光部の面積を低減することが可能となる。なお、有機ＥＬ素子の輝度は、流れる電流値に略比例する。
【００３７】
また、本実施形態の有機ＥＬ素子では、上述の補助電極１５を備えていることにより、駆動時において発光部１１のうち第１端子部２２に近い部位での電流集中を抑制することが可能となるから、より一層の長寿命化を図ることが可能となる。
【００３８】
（実施形態２）
以下、本実施形態の有機ＥＬ素子について図２に基づいて説明する。
【００３９】
本実施形態の有機ＥＬ素子の基本構成は実施形態１と略同じであり、補助電極１５が、２層の補助電極層１５1，１５2の積層構造を有し、第１電極１２の厚み方向において第１電極１２から遠い補助電極層１５2について、第１端子部２２側の一端から第２端子部２４側の他端までの距離を短くすることで厚さを変化させてある点などが相違する。なお、実施形態１と同様の構成要素には同一の符号を付して説明を省略する。
【００４０】
補助電極１５は、少なくとも２層の補助電極層１５1，１５2の積層構造を有していればよく、第１電極１２の厚み方向において第１電極１２から遠い補助電極層１５n（n≧２）ほど、第１端子部２２側の一端から第２端子部２４側の他端までの距離を短くすることで当該補助電極１５の厚さを変化させてあればよい。
【００４１】
各補助電極層１５1，１５2の材料は、実施形態１において説明した補助電極１５の材料のうち互いに異なる材料を採用すればよい。
【００４２】
また、本実施形態の有機ＥＬ素子では、第１端子部２２が、２層の電極層２２1，２２2の積層構造を有している。そして、第１電極１２の厚み方向において第１電極１２に近い側の電極層２２1の材料と補助電極層１５1の材料とを同じ材料とし、第１電極１２から遠い側の電極層２２2の材料と補助電極層１５2の材料とを同じ材料としてある。したがって、本実施形態の有機ＥＬ素子においても、実施形態１の有機ＥＬ素子と同様、第１端子部２２と補助電極１５とを同時に形成することが可能となる。
【００４３】
以上説明した本実施形態の有機ＥＬ素子では、実施形態１の有機ＥＬ素子と同様に、輝度むらの低減を図りながらも非発光部の面積を低減することが可能となる。
【００４４】
また、本実施形態の有機ＥＬ素子では、補助電極１５が、少なくとも２層の補助電極層１５1，１５2の積層構造を有し、第１電極１２の厚み方向において第１電極１２から遠い補助電極層１５n（n≧２）ほど第１端子部２２側の一端から第２端子部２４側の他端までの距離を短くすることで当該補助電極１５の厚さを変化させてあるので、実施形態１に比べて、補助電極１５の抵抗分布の設計が容易になる。
【００４５】
実施形態１，２で説明した有機ＥＬ素子では、透明導電膜からなる第１電極１２が陽極を構成し、第１電極１２よりもシート抵抗が小さな第２電極１４が陰極を構成しているが、第１電極１２が陰極を構成し、第２電極１４が陽極を構成してもよく、いずれにしても、透明導電膜からなる第１電極１２を通して光を取り出すことが可能であればよい。
【００４６】
また、実施形態１，２で説明した有機ＥＬ素子は、例えば、照明用の有機ＥＬ素子として好適に用いることができるが、照明用に限らず、他の用途に用いることも可能である。
【符号の説明】
【００４７】
１１  発光部
１２  第１電極
１３  有機ＥＬ層
１４  第２電極
１５  補助電極
１５1  補助電極層
１５2  補助電極層
２２  第１端子部
２４  第２端子部
【図１】
0005735819.tif 000002
【図２】
0005735819.tif 000003
【図３】
0005735819.tif 000004